(57)【要約】【課題】壁部に予め設けられているダクト（貫通孔）を利用して、引き込み対象のケーブルの引き込み工事を、より効率よく行うことを支援する、ケーブル引き込み支援装置を提供する。【解決手段】直線状に延びるように形成されてダクト内に挿通されるレール部１１と、レール部の一方の側の端部に設けられてダクトの一方の側の縁部に配置される挿通規制部１２と、にて構成されるモール部材１０と、第１貫通孔２０Ａを有してレール部の他方の側の端部が第１貫通孔に挿通されてレール部に沿って移動させることが可能でありダクトの他方の側の縁部に配置されるスライド部材２０と、を備え、スライド部材は、レール部とスライド部材に設けられた係止手段によってレール部に対する位置が固定され、レール部には、引き込み対象のケーブルを挿通可能な案内溝１１Ａが長手方向に沿って形成されている。【選択図】図２
2014155317.tif 000002
【特許請求の範囲】
【請求項１】
直線状に延びるように形成されて壁部の表側から裏側に貫通するように形成されたダクト内に挿通されるレール部と、前記レール部の長手方向の一方の側の端部に設けられて前記ダクトの前記表側または前記裏側の一方の側の縁部に配置される挿通規制部と、にて構成されるモール部材と、
第１貫通孔を有して前記レール部の長手方向の他方の側の端部が前記第１貫通孔に挿通されて前記レール部に沿って移動させることが可能であり前記ダクトの前記表側または前記裏側の他方の側の縁部に配置されるスライド部材と、を備え、
前記スライド部材は、前記レール部と前記スライド部材に設けられた係止手段によって前記レール部に対する位置が固定され、
前記レール部には、引き込み対象のケーブルを挿通可能な案内溝が前記長手方向に沿って形成されている、
ケーブル引き込み支援装置。
【請求項２】
請求項１に記載のケーブル引き込み支援装置であって、
前記挿通規制部における前記レール部の前記案内溝に対応する位置には第２貫通孔が形成されており、
前記スライド部材の前記第１貫通孔と、前記レール部の前記案内溝と、前記挿通規制部の前記第２貫通孔とによって、引き込み対象のケーブルを前記壁部の前記表側と前記裏側とを貫通するように挿通可能とする貫通路が形成されている、
ケーブル引き込み支援装置。
【請求項３】
請求項１または２に記載のケーブル引き込み支援装置であって、
前記係止手段は、前記長手方向に沿って前記レール部に形成された鋸歯状の歯部と、前記スライド部材の前記第１貫通孔に設けられて前記歯部と噛み合う爪部と、を有するラチェット機構にて構成されている、
ケーブル引き込み支援装置。
【請求項４】
請求項１〜３のいずれか一項に記載のケーブル引き込み支援装置であって、
前記挿通規制部または前記スライド部材の少なくとも一方には、引き込み対象のケーブルの端部を接続するケーブルコンセントを取り付け可能な取り付け手段が設けられている、
ケーブル引き込み支援装置。
【発明の詳細な説明】
【技術分野】
【０００１】
本発明は、光ファイバ等の引き込み対象のケーブルを屋外から屋内等に引き込むことを支援するケーブル引き込み支援装置に関する。
【背景技術】
【０００２】
近年では、光ファイバを用いた電話やインターネット等の通信が広く普及し、光ファイバ等のケーブルを引き込んだ戸建住宅や集合住宅が増加している。
既存の戸建住宅や集合住宅等に光ファイバ等のケーブルを引き込む場合、専門の業者によって引き込み工事が行われ、引き込み対象のケーブルが屋外から屋内に引き込まれる。
引き込み工事では、通常、戸建住宅や集合住宅の壁面に貫通孔を新たに設けてケーブルを引き込んだり、予め壁面に設けられているエアコン等のダクトを利用してケーブルを引き込んだりしている。
しかし、新たに貫通孔を設ける場合は、貫通孔を設ける場所の決定や、貫通孔を形成する作業に時間がかかり、ダクトを利用する場合は、ダクト内の配管の隙間を利用するので、当該隙間に細いケーブルを挿通する作業に手間取り、引き込み工事の作業効率がよくない。
【０００３】
そこで、例えば特許文献１に記載された従来技術には、エアコンダクトとエアコン配管との隙間をパテ等で密封する際、当該隙間に、ダクト内を貫通する複数の通線配管を予め配置してパテ等で密封し、通線配管の端面（開口部）をフェースプレートで蓋をした、通線配管付貫通口装置が記載されている。そして、フェースプレートにおける各通線配管の開口部に対応する位置には、必要に応じて後から開口できる切欠加工部が設けられている。ケーブルの引き込みが必要となった際には、工事の作業者等が、切欠加工部を開口して通線配管内にケーブルを挿通することで、エアコンダクトを貫通するようにケーブルを引き込むことができる。
【先行技術文献】
【特許文献】
【０００４】
【特許文献１】特開２００６−３３３６３３号公報
【発明の概要】
【発明が解決しようとする課題】
【０００５】
既存の戸建住宅や既存の集合住宅のエアコン等のダクトを利用して光ファイバ等のケーブルの引き込み工事を行う際に、特許文献１に記載された従来技術を利用しようとしても、エアコンダクトにエアコン配管を工事する際に通線配管を埋め込んでおく必要があり、すでにエアコンダクトとエアコン配管との隙間がパテ等のみにて密封されてしまっている既存の戸建住宅や既存の集合住宅では利用することができない。
本発明は、このような点に鑑みて創案されたものであり、壁部に予め設けられているダクト（貫通孔）を利用して、引き込み対象のケーブルの引き込み工事を、より効率よく行うことを支援する、ケーブル引き込み支援装置を提供することを課題とする。
【課題を解決するための手段】
【０００６】
上記課題を解決するため、本発明に係るケーブル引き込み支援装置は次の手段をとる。
まず、本発明の第１の発明は、直線状に延びるように形成されて壁部の表側から裏側に貫通するように形成されたダクト内に挿通されるレール部と、前記レール部の長手方向の一方の側の端部に設けられて前記ダクトの前記表側または前記裏側の一方の側の縁部に配置される挿通規制部と、にて構成されるモール部材と、第１貫通孔を有して前記レール部の長手方向の他方の側の端部が前記第１貫通孔に挿通されて前記レール部に沿って移動させることが可能であり前記ダクトの前記表側または前記裏側の他方の側の縁部に配置されるスライド部材と、を備え、前記スライド部材は、前記レール部と前記スライド部材に設けられた係止手段によって前記レール部に対する位置が固定され、前記レール部には、引き込み対象のケーブルを挿通可能な案内溝が前記長手方向に沿って形成されている。
【０００７】
この第１の発明によれば、引き込み対象のケーブルを挿通可能な案内溝が形成されたレール部をダクトに挿通し、挿通規制部とスライド部材にてダクトの表側と裏側から挟み込んでレール部をダクト内に容易に、かつ短時間で固定することができる。
これにより、壁部に予め設けられているダクトを利用して、引き込み対象のケーブルを挿通する通路をレール部にて確保し、引き込み対象のケーブルの引き込み工事を、より効率よく行うことができる。
また、レール部の両端に挿通規制部とスライド部材があるだけ、という非常にシンプルな構造で、ケーブル引き込み支援装置を実現することができる。
【０００８】
次に、本発明の第２の発明は、上記第１の発明に係るケーブル引き込み支援装置であって、前記挿通規制部における前記レール部の前記案内溝に対応する位置には第２貫通孔が形成されており、前記スライド部材の前記第１貫通孔と、前記レール部の前記案内溝と、前記挿通規制部の前記第２貫通孔とによって、引き込み対象のケーブルを前記壁部の前記表側と前記裏側とを貫通するように挿通可能とする貫通路が形成されている。
【０００９】
この第２の発明によれば、スライド部材の第１貫通孔と、レール部の案内溝と、挿通規制部の第２貫通孔とによって、引き込み対象のケーブルを壁部の表側と裏側とを貫通するように挿通可能とする貫通路を形成している。
これにより、非常にシンプルな構造で、ダクト内に貫通路を形成することが可能であり、引き込み対象のケーブルの引き込み工事を、より効率よく行うことができる。
【００１０】
次に、本発明の第３の発明は、上記第１または第２の発明に係るケーブル引き込み支援装置であって、前記係止手段は、前記長手方向に沿って前記レール部に形成された鋸歯状の歯部と、前記スライド部材の前記第１貫通孔に設けられて前記歯部と噛み合う爪部と、を有するラチェット機構にて構成されている。
【００１１】
この第３の発明によれば、レール部に対するスライド部材の位置を固定する係止手段は、歯部と爪部によるラチェット機構にて構成されている。
これにより、非常にシンプルな構造にて係止手段を実現することができる。
【００１２】
次に、本発明の第４の発明は、上記第１〜第３のいずれか１つの発明に係るケーブル引き込み支援装置であって、前記挿通規制部または前記スライド部材の少なくとも一方には、引き込み対象のケーブルの端部を接続するケーブルコンセントを取り付け可能な取り付け手段が設けられている。
【００１３】
この第４の発明では、挿通規制部またはスライド部材の少なくとも一方には、ケーブルコンセントを取り付け可能な取り付け手段が設けられている。
これにより、ケーブル引き込み支援装置を用いて挿通した引き込み対象のケーブルの先端を接続するべきケーブルコンセントを、ケーブル引き込み支援装置に取り付けることができるので、ケーブルをケーブルコンセントに向けて引き回す距離を短くすることが可能であり、便利であるとともに見栄えもよい。
【図面の簡単な説明】
【００１４】
【図１】（Ａ）はダクトに取り付けたケーブル引き込み支援装置の全体の概略斜視図を示しており、（Ｂ）はケーブル引き込み支援装置の側面図を示しており、（Ｃ）は（Ｂ）におけるＡ１方向から見た挿通規制部の第２貫通孔の周囲の拡大図と、（Ｂ）におけるＡ２方向から見たスライド部材の第１貫通孔の周囲の拡大図を示している。
【図２】（Ａ）はケーブル引き込み支援装置の平面図を示しており、（Ｂ）は（Ａ）におけるＢ−Ｂ断面の拡大図を示しており、（Ｃ）は（Ｂ）におけるＣ−Ｃ断面の拡大図を示している。
【図３】ケーブル引き込み支援装置を用いて、引き込み対象のケーブルを、ダクトの表側（または裏側）から裏側（または表側）に引き込む、ケーブル引き込み工事の手順を説明する断面図である。
【発明を実施するための形態】
【００１５】
以下に本発明を実施するための形態を図面を用いて説明する。
●［ケーブル引き込み支援装置１の全体構成（図１）］
図１（Ａ）に示すように、ケーブル引き込み支援装置１は、Ｌ字状に形成されたモール部材１０と、棒状のスライド部材２０とにて構成されており、Ｌ字状のモール部材１０は、直線状のレール部１１と、レール部１１に直交するように設けられた挿通規制部１２と、にて構成されている。なお図１（Ａ）の例では、ダクト内に取り付けられるダクトカバー８０にてダクトＤを表現している。
なお、モール部材１０、スライド部材２０は、例えば樹脂等、弾性力を有する材質であってニッパ等の工具にてカット可能な材質にて形成されている。
【００１６】
図１（Ａ）に示すように、レール部１１は、直線状に延びるように形成されており、壁部の表側から裏側に貫通するように形成されたダクトＤ内に挿通される。
図１（Ａ）に示すように、挿通規制部１２は、レール部１１の長手方向の一方の側の端部に設けられ、ダクトＤの表側または裏側の一方の側の縁部に配置され、レール部１１をダクトＤ内に挿通した際における、挿通方向のストッパの役目を果たす。
なお、本実施の形態では、挿通規制部１２の形状を棒状の形状としているが、挿通規制部１２の形状は棒状に限定されるものではない。
また図１（Ｃ）及び図２（Ｂ）に示すように、挿通規制部１２におけるレール部１１の案内溝１１Ａに対応する位置には、第２貫通孔１２Ａが形成されており、この第２貫通孔１２Ａは案内溝１１Ａと接続されている。
またレール部１１は、図２（Ｃ）に示すように、長手方向に直交する断面が凹状（コの字状）となるように、長手方向に沿って案内溝１１Ａが形成されている。この案内溝１１Ａに、引き込み対象のケーブルが挿通される。
【００１７】
図１（Ｃ）及び図２（Ｂ）に示すように、スライド部材２０には、レール部１１の長手方向の他方の側の端部を挿通可能な第１貫通孔２０Ａが形成されている。
また図１（Ｂ）に示すように、スライド部材２０は、第１貫通孔２０Ａにレール部１１の長手方向の他方の側の端部が挿通されると、レール部１１に沿って移動が可能である。
そして図１（Ａ）に示すように、スライド部材２０は、ダクトＤの表側または裏側の他方の側の縁部に配置される。
なお、本実施の形態では、スライド部材２０の形状を棒状の形状としているが、スライド部材２０の形状は棒状に限定されるものではない。
またレール部とスライド部材には係止手段（後述するラチェット機構）が設けられており、当該係止手段によって、レール部１１に対するスライド部材２０の位置を固定することが可能である。
以上の構成により、ケーブル引き込み支援装置１は、壁部の表面から裏面に貫通するようにダクトＤ内にレール部１１が挿通され、当該レール部１１を、挿通規制部１２とスライド部材２０にて、表側と裏側から挟み込んでダクト内に固定する構造を有している。
そして図１（Ｃ）に示すように、図１（Ｂ）におけるＡ１方向またはＡ２方向から見た場合、スライド部材２０の第１貫通孔２０Ａと、レール部１１の案内溝１１Ａ（図２（Ｂ）、（Ｃ）参照）と、挿通規制部１２の第２貫通孔１２Ａとが連続して形成された貫通路が形成される。作業者は、この貫通路に引き込み対象のケーブルを挿通する。
【００１８】
また、挿通規制部１２には、ネジ等にて壁面に挿通規制部１２を固定するためのネジ孔１２Ｂが設けられている（特に固定しなくてもよい）。なお、ネジ孔１２Ｂは、挿通規制部１２にケーブルコンセント３０（図３（Ｄ）参照）を取り付けるためのネジ孔（取り付け手段に相当）として用いることも可能である。
また挿通規制部１２には、不要な部分を切り取るための目印溝１２Ｃが形成されている。作業者は、ニッパ等の工具の刃を目印溝１２Ｃに当接させ、目印溝１２Ｃから先の部分を切り取る（折り取る）ことができる（樹脂等で形成されているので容易にカット可能である）。
同様に、スライド部材２０には、ネジ等にて壁面にスライド部材２０固定するためのネジ孔２０Ｂが設けられている（特に固定しなくてもよい）。なお、ネジ孔２０Ｂは、スライド部材２０にケーブルコンセント３０（図３（Ｄ）参照）を取り付けるためのネジ孔（取り付け手段に相当）として用いることも可能である。
またスライド部材２０には、不要な部分を切り取るための目印溝２０Ｃが形成されている。作業者は、ニッパ等の工具の刃を目印溝２０Ｃに当接させ、目印溝２０Ｃから先の部分を切り取る（折り取る）ことができる（樹脂等で形成されているので容易にカット可能である）。
【００１９】
●［モール部材１０（レール部１１と挿通規制部１２）とスライド部材２０の詳細構造（図２）］
図２（Ａ）はケーブル引き込み支援装置１の平面図を示しており、図２（Ｂ）は図２（Ａ）におけるＢ−Ｂ断面の拡大図を示しており、図２（Ｃ）は図２（Ｂ）におけるＣ−Ｃ断面の拡大図を示している。
図２（Ａ）及び（Ｂ）に示すように、レール部１１には、長手方向に沿って鋸歯状の歯部１１Ｈが形成されている。
また図２（Ｂ）に示すように、スライド部材２０の第１貫通孔２０Ａにおける歯部１１Ｈに対向する位置には、歯部１１Ｈと噛み合う爪部２０Ｔが形成されている。
そして上記の歯部１１Ｈと爪部２０Ｔにてラチェット機構が形成され、このラチェット機構は、スライド部材２０を、レール部１１に沿って挿通規制部１２に近づける方向に移動させることを許容しているが、挿通規制部１２から遠ざける方向に移動させることを禁止している。
【００２０】
また図２（Ｂ）に示すように、挿通規制部１２におけるレール部１１が設けられている側とは反対の側には、第２貫通孔１２Ａの開口部を、レール部１１の案内溝１１Ａに向けて徐々に小さくする傾斜面１２Ｍが設けられている。
同様にスライド部材２０における挿通規制部１２と対向する側とは反対の側には、第１貫通孔２０Ａの開口部を、レール部１１の案内溝１１Ａに向けて徐々に小さくする傾斜面２０Ｍが設けられている。
また図２（Ｂ）及び（Ｃ）に示すように、レール部１１には、長手方向（Ｘ軸方向）に沿って案内溝１１Ａが形成されており、案内溝１１Ａにおける長手方向に直交する断面の形状はコの字状であり、コの字の開口方向は、図２（Ｂ）及び（Ｃ）において紙面の下方に向かう方向である。なお、レール部１１の断面形状はコの字状に限定されるものではなく、凹状に溝が形成されていればよい。また、コの字の開口方向は、図２（Ｂ）に示すように、挿通規制部１２及びスライド部材２０の延びる方向（Ｚ軸方向とは反対の方向）である。
【００２１】
●［ケーブル引き込み支援装置１を用いた、ケーブル引き込み工事の手順（図３）］
次に図３（Ａ）〜（Ｄ）を用いて、ケーブル引き込み支援装置１を用いたケーブル引き込み工事の手順の例を説明する。
なお、図３（Ａ）〜（Ｄ）の例は、壁部Ｋの左側が屋内を示し、壁部Ｋの右側が屋外を示している。
そして、壁部Ｋの表側から裏側（例えば屋外側から屋内側）に貫通するように形成されたダクトＤ内には、ダクトカバー８０が設けられ、配管Ｈ（例えばエアコン用の配管）が挿通されている。
ダクトＤの径に対して配管Ｈの径のほうが小さいので、ダクトＤ内では配管Ｈとの間に隙間が形成されている。以降では、この隙間がパテ等にて密封されていない場合の例を説明するが、パテ等にて密封されている場合は、ダクトＤの内壁に沿ってパテ等を貫通する孔を設ければよい。通常、パテ等はダクトＤの表面部分のみに設けられており、比較的柔らかいので、レール部１１を挿通可能な程度の小さな径の貫通孔を設けることは容易である。
【００２２】
ケーブル引き込み工事における最初のステップでは、作業者は、図３（Ａ）に示すように、ダクトＤ内における配管Ｈとの隙間の部分に、屋内側からレール部１１の先端を屋外側に向けて挿通する。例えばレール部１１におけるダクト径方向の高さ（図２（Ｃ）における高さ１１Ｔ）は約２ｍｍ前後であり、ダクト径方向に直交する幅（図２（Ｃ）における幅１１Ｗ）は約８ｍｍ前後であり、光ファイバを挿通することが可能な程度の小さなサイズである。従って、わずかな隙間であっても、容易にレール部１１を挿通することができる。
またレール部１１は、案内溝の両壁が補強リブを兼ねており、材質が樹脂等であるので、適度な強度と弾性力を有し、狭い隙間であっても容易に挿通することができる。
またレール部１１における挿通方向の先端は、図２（Ｂ）に示すように先細りとなるテーパ状に形成されており、さらに挿通を容易としている。
なお、レール部１１をダクトＤ内に挿通する際、レール部１１の案内溝１１Ａの開口方向（図２（Ｃ）参照）がダクトＤの内壁と対向するように挿通する。これにより、レール部１１の案内溝１１ＡとダクトＤの内壁とで周囲を囲まれた貫通路１Ａを形成することができる（図３（Ｄ）のＥ−Ｅ拡大図を参照）。
【００２３】
次のステップでは、作業者は、図３（Ｂ）に示すように、ダクトＤに挿通したレール部１１の先端をスライド部材２０の第１貫通孔に挿通してレール部１１に沿ってスライド部材２０を挿通規制部１２の側に移動させ、スライド部材２０と挿通規制部１２にて壁部Ｋを挟み込んでレール部１１をダクトＤの内壁に固定する。なお、スライド部材２０のネジ孔を用いて、スライド部材２０を壁部Ｋに固定してもよい。
また、スライド部材２０から突出したレール部１１の先端部は、不要ならばニッパ等の工具にてカットしてもよい。図３（Ｂ）〜図３（Ｄ）の例では、位置ＣＴにてレール部１１の不要部をカットしている（特にカットしなくてもよい）。レール部１１は、四方が囲まれた筒状ではなく、三方が囲まれた溝であり一方が開口しているので、製造が容易であるとともに、カットも容易である。
また、開口している一方の側は、図３（Ｄ）に示すように、ダクトＤの内壁を利用して壁面を構成する。
この状態にて、ダクトＤ内において、ケーブル引き込み支援装置１によって、壁部Ｋの屋外側から屋内側に向かって、スライド部材２０の第１貫通孔、レール部１１の案内溝、挿通規制部１２の第２貫通孔、が連続して貫通路１Ａが形成されている。
なお、見栄えをよくするために、挿通規制部１２を目印溝１２Ｃにて不要部をカットして短くしてもよく、スライド部材２０を目印溝２０Ｃにて不要部をカットして短くしてもよい。
【００２４】
次のステップでは、作業者は、図３（Ｃ）に示すように、引き込み対象のケーブルＣＡを、スライド部材２０の側から貫通路１Ａに挿通する。スライド部材２０の第１貫通孔には、図２（Ｂ）に示すように傾斜面２０Ｍが形成されているので、作業者は、ケーブルＣＡを第１貫通孔から案内溝へと容易に挿通することができる。
なお、ケーブルＣＡを挿通規制部１２の側から挿通する場合では、図２（Ｂ）に示すように挿通規制部１２の第２貫通孔には傾斜面１２Ｍが形成されているので、作業者は、ケーブルＣＡを第２貫通孔から案内溝へと容易に挿通することができる。
【００２５】
次のステップでは、作業者は、図３（Ｄ）に示すように、スライド部材２０の側から挿通規制部１２の側へと貫通孔１Ａ内に挿通したケーブルＣＡの先端を、挿通規制部１２のネジ孔に取り付けたケーブルコンセント３０に接続する。挿通規制部１２の第２貫通孔には傾斜面１２Ｍが形成されているので、ケーブルコンセント３０に向けて湾曲させたケーブルＣＡの曲率を適切な曲率とすることが可能であり、ケーブルＣＡの破損（折れ曲がり）を防止することができる。
なお、ケーブルＣＡの先端をスライド部材２０の側から取り出した場合も同様に、スライド部材２０の第１貫通孔には傾斜面２０Ｍが形成されているので、ケーブルコンセント３０に向けて湾曲させたケーブルＣＡの曲率を適切な曲率にして、ケーブルＣＡの破損（折れ曲がり）を防止することができる。
このケーブルコンセント３０の接続端子に、屋内の機器（通信用のルータやモデム等）が接続される。
【００２６】
本実施の形態にて説明したケーブル引き込み支援装置１は、壁部を貫通するように形成されたダクトを利用してケーブルを引き込むことを支援するが、ダクト内においてレール部にてケーブルを保護するように覆っているので、例えばエアコンの設置やエアコンの交換等の配管工事時に、光ファイバ等のケーブルを傷つけることなく適切に保護することができる。
また本実施の形態の説明では、モール部材１０について、レール部１１と挿通規制部１２とをＬ字状となるように一体成形した構成の例を説明した。しかし、レール部１１と挿通規制部１２とを別々の部品で形成し、別々の部品のレール部１１と挿通規制部１２とを組み合わせてモール部材１０を構成するようにしてもよい。
【００２７】
本発明のケーブル引き込み支援装置１は、本実施の形態で説明した外観、構成、構造、形状、使用方法等に限定されず、本発明の要旨を変更しない範囲で種々の変更、追加、削除が可能である。
また本実施の形態の説明では、レール部１１を屋内側から屋外側に挿通する例を説明したが、レール部１１を屋外側から屋内側に挿通するようにしてもよい。なおレール部１１を屋外側から屋内側に挿通した場合、ケーブルコンセントをスライド部材２０のネジ孔（取り付け手段に相当）に取り付ければよい。
また図３（Ａ）〜（Ｄ）を用いた説明では、壁部の表側を屋外側、壁部の裏側を屋内側として説明したが、壁部の屋外側と屋内側のどちらを表側としてもよい。
また本発明のケーブル引き込み支援装置１は、屋内、屋外にかかわらず、例えば屋内の部屋Ａから部屋Ｂへと壁部の表側と裏側を貫通するようにケーブルを挿通する工事に利用することも可能である。またダクトは、エアコンの配管用のダクトに限定されず、壁部の表側から裏側に貫通している貫通孔であればよい。
また、本発明のケーブル引き込み支援装置１は、光ファイバの引き込み工事に限定されず、種々のケーブルの引き込み工事に利用することができる。
また、本実施の形態の説明に用いた数値は一例であり、この数値に限定されるものではない。
【符号の説明】
【００２８】
１        ケーブル引き込み支援装置
１Ａ      貫通路
１０      モール部材
１１      レール部
１１Ａ    案内溝
１１Ｈ    歯部
１２      挿通規制部
１２Ａ    第２貫通孔
１２Ｂ    ネジ孔（取り付け手段）
１２Ｍ    傾斜面
２０      スライド部材
２０Ａ    第１貫通孔
２０Ｂ    ネジ孔（取り付け手段）
２０Ｍ    傾斜面
２０Ｔ    爪部
３０      ケーブルコンセント
８０      ダクトカバー
ＣＡ      ケーブル
Ｄ        ダクト
Ｈ        配管
Ｋ        壁部
【図１】
2014155317.tif 000003
【図２】
2014155317.tif 000004
【図３】
2014155317.tif 000005